(57)【要約】【課題】内側ケースと外側ケースとの二重のケースを備えた収納ケースに、先端に刃部のような突起部を有した作業具を収納するときに、先端の突起部が開口の周縁にて内側ケースと外側ケースとの間に入らないようにする。【解決手段】先端に突起部を有した作業具を収納する収納ケース１０であり、収納ケース１０は一端側の開口から作業具を挿入して収納する内側ケース１１と、一端側に開口を有し、内側ケース１１の外側を覆う外側ケース１２と、開口の周縁にて内側ケース１１と外側ケース１２との間に生じる隙間に作業具の突起部が進入するのを防止する突起部進入防止構造２１とを備えた。【選択図】図３
2018012147.tif 000002
【特許請求の範囲】
【請求項１】
先端に突起部を有した作業具を収納する収納ケースであり、
前記収納ケースは一端側の開口から前記作業具を挿入して収納する内側ケースと、
前記一端側に開口を有し、前記内側ケースの外側を覆う外側ケースと、
前記開口の周縁にて前記内側ケースと前記外側ケースとの間に生じる隙間に前記作業具の突起部が進入するのを防止する突起部進入防止構造とを備えたことを特徴とする収納ケース。
【請求項２】
請求項１に記載の収納ケースにおいて、
前記内側ケースに前記外側ケースよりも硬質の材質を用いたことを特徴とする収納ケース。
【請求項３】
請求項１または２に記載の収納ケースにおいて、
前記外側ケースには前記一端側から外側に延びる延出部を設けたことを特徴とする収納ケース。
【請求項４】
請求項３に記載の収納ケースにおいて、
前記延出部には作業者の腰部のベルトに装着される取付部を設け、
前記取付部を前記作業者の腰部のベルトに取り付けることで、作業者の腰部に吊り下げて使用するようにしたことを特徴とする収納ケース。
【請求項５】
請求項１〜４の何れか１項に記載の収納ケースにおいて、
前記突起部進入防止構造は、前記内側ケースと前記外側ケースとを密着した状態で貫通させた長手方向の両端が抜け止めされ、前記内側ケースと前記外側ケースとの間の隙間が生じるのを防止するピン材を用いたことを特徴とする収納ケース。
【請求項６】
請求項１〜４の何れか１項に記載の収納ケースにおいて、
前記突起部進入防止構造は、前記内側ケースと前記外側ケースとの間に密着した状態で設けられて、前記内側ケースと前記外側ケースとの間の隙間が生じるのを防止する面ファスナーを用いたことを特徴とする収納ケース。
【請求項７】
請求項１〜４の何れか１項に記載の収納ケースにおいて、
前記突起部進入防止構造は、前記内側ケースと前記外側ケースとの間を接着また溶着させることで、前記内側ケースと前記外側ケースとの間の隙間が生じるのを防止したことを特徴とする収納ケース。
【請求項８】
請求項１〜４の何れか１項に記載の収納ケースにおいて、
前記突起部進入防止構造として、前記内側ケースと前記外側ケースとを密着した状態で弾性的に狭持し、前記内側ケースと前記外側ケースとの間の隙間が生じるのを防止するクリップを用いたことを特徴とする収納ケース。
【請求項９】
請求項１〜４の何れか１項に記載の収納ケースにおいて、
前記突起部進入防止構造として、前記内側ケースの開口周縁部を前記外側ケース側に湾曲させ、前記内側ケースの開口周縁部の先端を前記外側ケース側に弾性的に付勢させたことで、前記内側ケースと前記外側ケースとの間の隙間が生じるのを防止したことを特徴とする収納ケース。
【請求項１０】
請求項３または４に記載の収納ケースにおいて、
前記突起部進入防止構造として、前記内側ケースの開口周縁から前記延出部に沿うように延びる舌部を設けたこことを特徴とする収納ケース。
【請求項１１】
請求項３または４に記載の収納ケースにおいて、
前記突起部進入防止構造として、前記延出部に設けられて前記作業具の先端の突起部を前記内側ケースの内部に案内するガイドを用いたことを特徴とする収納ケース。
【発明の詳細な説明】
【技術分野】
【０００１】
本発明は、先端に突起部を有した剪定はさみ、電動剪定はさみ等の作業具を収納する収納ケースに関し、内側ケースと外側ケースとの二重のケースを備えた収納ケースに関する。
【背景技術】
【０００２】
特許文献１には園芸用の剪定はさみを作業者の腰部に吊り下げて使用する収納ケースが開示されている。この収納ケースは作業者のベルトに装着されるものであり、ポケット状の鞘本体の上側にベルトに吊り下げるための吊り下げ部分を備えている。この収納ケースは剪定作業をする作業者のベルトに装着され、作業者は剪定作業を中断するときに収納ケースの鞘本体に剪定はさみを差し込んで収納する。
【先行技術文献】
【特許文献】
【０００３】
【特許文献１】特開２００９−０１２１６２号公報
【発明の概要】
【発明が解決しようとする課題】
【０００４】
特許文献１の収納ケースは鞘本体と吊り下げ部分を一体的に形成したものである。この収納ケースに硬質の樹脂材を用いたときには、鞘本体を剪定はさみの先端の刃部により破損しにくくできる。しかし、吊り下げ部分も硬質の樹脂材となるために、収納ケースが作業者の動きに応じて変形しにくく、収納ケースは作業者の腰部で使用感を良好とすることができなかった。これに対して、剪定はさみの先端の刃部により破損しにくくするとともに、作業者の腰部での使用感を良好とすべく、収納ケースを例えば硬質の樹脂材を用いた内側ケースと、内側ケースよりも軟質の樹脂材を用いた外側ケースとを備えるようにし、軟質の樹脂材の外側ケースの上側にベルトの吊り下げ部分を一体的に設けるようにしたものも開発されている。
【０００５】
作業者が剪定作業を中断して腰部に装着された内外二重のケース用いた収納ケースに剪定はさみを収納するときには、作業者は目視することなく剪定はさみを収納ケースに収納することが多いため、剪定はさみの先端の刃部が開口周縁にて内側ケースと外側ケースの間の隙間に入り込むことがあった。剪定はさみの先端の刃部が内側ケースと外側ケースの間の隙間に入り込むと、収納ケースに剪定はさみを収納することができずに使用感が良好とならないばかりか、内側ケースと外側ケースとの間に無理に入れようとして収納ケースが破損するおそれがあった。本発明は、内側ケースと外側ケースとの二重のケースを備えた収納ケースに先端に刃部のような突起部を有した作業具を収納するときに、先端の突起部が開口の周縁にて内側ケースと外側ケースとの間に入らないようにすることを目的とする。
【課題を解決するための手段】
【０００６】
上記課題を解決するために、本発明は、先端に突起部を有した作業具を収納する収納ケースであり、収納ケースは一端側の開口から作業具を挿入して収納する内側ケースと、一端側に開口を有し、内側ケースの外側を覆う外側ケースと、開口の周縁にて内側ケースと外側ケースとの間に生じる隙間に作業具の突起部が進入するのを防止する突起部進入防止構造とを備えたことを特徴とする収納ケースを提供するものである。
【０００７】
上記のように構成した収納ケースにおいては、開口の周縁にて内側ケースと外側ケースとの間に生じる隙間に作業具の突起部が進入するのを防止する突起部進入防止構造とを備えたので、作業者が作業具を収納ケースに収納するときに、先端の突起部が内側ケースと外側ケースの間に挟まりにくくなり、作業具が収納ケースに収納できないようになるのを防ぐことができるとともに、作業具の突起部を内側ケースと外側ケースの間に無理に入れることに起因した収納ケースの破損を防ぐことができる。
【０００８】
上記のように構成した収納ケースにおいては、内側ケースに外側ケースよりも硬質の材質を用いるのが好ましい。また、外側ケースには一端側から外側に延びる延出部を設けるようにしてもよい。この場合において、延出部には作業者の腰部のベルトに装着される取付部を設け、取付部を作業者の腰部のベルトに取り付けることで、作業者の腰部に吊り下げて使用するようにしたものに好適である。
【０００９】
上記のように構成した収納ケースの突起部進入防止構造の一実施形態として、内側ケースと外側ケースとを密着した状態で貫通させた長手方向の両端が抜け止めされ、内側ケースと外側ケースとの間の隙間が生じるのを防止するピン材を用いるようにしてもよい。また、収納ケースの突起部進入防止構造の他の実施形態として、内側ケースと外側ケースとの間に密着した状態で設けられて、内側ケースと外側ケースとの間の隙間が生じるのを防止する面ファスナーを用いてもよい。また、収納ケースの突起部進入防止構造の他の実施形態として、内側ケースと外側ケースとの間を接着また溶着させることで、内側ケースと外側ケースとの間の隙間が生じるのを防止してもよい。また、収納ケースの突起部進入防止構造の他の実施形態として、内側ケースと外側ケースとを密着した状態で弾性的に狭持し、内側ケースと外側ケースとの間の隙間が生じるのを防止するクリップを用いてもよい。また、収納ケースの突起部進入防止構造の他の実施形態として、内側ケースの開口周縁部を外側ケース側に湾曲させ、内側ケースの開口周縁部の先端を外側ケースに弾性的に付勢させたことで、内側ケースと外側ケースとの間の隙間が生じるのを防止してもよい。
【００１０】
また、突起部進入防止構造の他の実施形態として、外側ケースに一端側から外側に延びる延出部を設けたものにおいては、内側ケースの開口周縁から延出部に沿うように延びる舌部を設けてもよいし、延出部に設けられて作業具の先端の突起部を内側ケースの内部に案内するガイドを用いてもよい。
【図面の簡単な説明】
【００１１】
【図１】本発明の収納ケースをハーネスのベルトに装着した状態の斜視図である。
【図２】第１実施形態の収納ケースの一部を破断した正面図である。
【図３】Ａ−Ａ線断面図である。
【図４】第２実施形態の図３に相当するＡ−Ａ断面図である。
【図５】第４実施形態の図２に相当する一部を破断した正面図である。
【図６】第４実施形態の図３に相当するＡ−Ａ断面図である。
【図７】第５実施形態の図３に相当するＡ−Ａ断面図である。
【図８】第６実施形態の図２に相当する一部を破断した正面図である。
【図９】第７実施形態の図３に相当するＡ−Ａ断面図である。
【図１０】第８実施形態の図２に相当する一部を破断した正面図である。
【発明を実施するための最良の形態】
【００１２】
以下に、本発明の収納ケースの実施形態を添付図面を参照して説明する。本発明の収納ケース１０は先端に刃部等の突起部を有した剪定はさみ、電動剪定はさみ等の作業具を収納するものであり、電動剪定はさみ等の作業具を作業者の腰部に収納するホルスターとも呼ばれるものである。図１に示したように、収納ケース１０は、この実施形態では作業者が装着するハーネスの腰部のベルトに取り付けられて使用される。
【００１３】
図２及び図３に示したように、収納ケース１０は、内側ケース１１と外側ケース１２とを備えている。図３に示したように、内側ケース１１は上側（一端側）が開口した略直方体形状のポケット形をしており、硬質の樹脂材を成形したものである。内側ケース１１の作業者側の側面には上下方向の中間部に内側に突出する突出部１１ａが形成されており、内側ケース１１の作業者側の側面と対向する側面の下部には内側に突出する突出部１１ｂが形成されている。これら突出部１１ａ，１１ｂは内側ケース１１内にて電動剪定はさみが底部に勢いよく落下するのを防ぐ機能を有している。
【００１４】
図３に示したように、外側ケース１２は内側ケース１１と同様に上側（一端側）が開口した略直方体形状のポケット形をしており、内側ケース１１の外側を覆っている。外側ケース１２は内側ケース１１よりも軟質の材質を用いたものであり、この実施形態では化学繊維材を用いたものである。図２及び図３に示したように、外側ケース１２は開口よりも上側（外側）に延びる延出部１３を備えており、延出部１３にはハーネスの腰部のベルトに装着するためのループ状の取付部１４が設けられている。延出部１３及び取付部１４は化学繊維材を用いた外側ケース１２と一体的に形成されている。なお、取付部１４はループ状にしたものに限られるものでなく、ベルトに装着できるようにしたものであれば例えば鉤状（フック状）としたものであってもよい。また、取付部１４の基端部には内側ケース１１に収納された電動剪定はさみを保持するホルダ１５が設けられており、ホルダ１５は内側ケース１１の上側に突き出る電動剪定はさみのグリップ部分を保持して、電動剪定はさみが収納ケース１０から落下するのを防ぐようにしている。外側ケース１２は上述したように軟質の化学繊維材が用いられているので、外側ケース１２は作業者の動きに対応して変形可能となっている。このため、収納ケース１０は作業者に対する当たりがソフトになって使用感が良好となっている。
【００１５】
このように構成した収納ケース１０は、開口周縁にて内側ケース１１と外側ケース１２との間に生じる隙間に電動剪定はさみ（作業具）の先端の刃部（突起部）が進入するのを防止する突起部進入防止構造を備えている。図２及び図３に示したように、第１実施形態の突起部進入防止構造は、内側ケース１１と外側ケース１２とを密着させた状態で貫通させた長手方向の両端を抜け止めしたリベット（ピン材）２１を用いたものである。リベット２１は、内側ケース１１と外側ケース１２の作業者側の側面の開口周縁に設けられており、内側ケース１１と外側ケース１２の作業者側の側面の開口周縁を隙間が生じないように接合させている。具体的には、リベット２１の頭部が内側ケース１１の内側に係止され、リベット２１の胴部が内側ケース１１と外側ケース１２を貫通され、リベット２１の胴部の先端部が外側ケース１２の外側でかしめられている。このように、リベット２１は開口周縁にて内側ケース１１と外側ケース１２とを密着させて隙間が生じないよう接合させている。
【００１６】
作業者は電動剪定はさみを用いた剪定作業時に収納ケース１０をハーネスのベルトに吊り下げるように装着する。作業者が剪定作業を中断して電動剪定はさみを収納ケース１０に収納するときには、作業中の視線を外さないようにするために、収納ケース１０を目視することなく電動剪定はさみを収納ケース１０に収納することが多い。作業者が目視せずに電動剪定はさみを収納ケース１０に収納するときに、電動剪定はさみを作業者の体に沿うように下側に移動させ、電動剪定はさみを収納ケース１０の内側ケース１１の内部に差し込む。このとき、作業者は目視をせずに電動剪定はさみを内側ケース１１の内部に差し込もうとするため、電動剪定はさみの先端の刃部が開口周縁にて内側ケース１１と外側ケース１２との間に挟まるおそれがあった。
【００１７】
この収納ケース１０は、電動剪定はさみ（作業具）の先端の刃部（突起部）が開口周縁にて内側ケース１１と外側ケース１２との間に進入するのを防止する突起部進入防止構造を備えている。この実施形態の突起部進入防止構造は、開口周縁にて内側ケース１１と外側ケース１２を密着させた状態で貫通させた長手方向の両端が抜け止めされたリベット（ピン材）２１を用いたものである。この収納ケース１０は、突起部進入防止構造として用いたリベット２１により、開口周縁にて内側ケース１１と外側ケース１２の作業者側の側面に隙間が生じないようになっている。このようにしたことで、作業者が電動剪定はさみを収納ケース１０に収納するときに、電動剪定はさみの先端の刃部が内側ケース１１と外側ケース１２との間に挟まりにくくなる。これによって、電動剪定はさみの刃部が内側ケース１１と外側ケース１２との間に引っ掛かって、電動剪定はさみが収納ケース１０に収納できずに落下するのを防ぐことができるとともに、電動剪定はさみの先端の刃部を内側ケース１１と外側ケース１２との間に無理に入れることに起因して収納ケース１０が破損するのを防ぐことができた。なお、突起部進入防止構造として用いたピン材としてリベットを用いたが、本発明はこれに限られるものでなく、他のピン材としてステープラ（ホッチキスの針）を用いたものであってもよい。
【００１８】
次に、他の実施形態の突起部進入防止構造について説明する。図４に示したように、第２実施形態の突起部進入防止構造は、内側ケース１１と外側ケース１２との間に設けられた面ファスナー２２を用いている。面ファスナー２２は内側ケース１１の開口周縁の外側と外側ケース１２の開口周縁の内側との一方にフック部と他方にループ部とを備え、フック部とループ部を着脱可能に貼り付けるようにして内側ケース１１と外側ケース１２との開口周縁の間に隙間が生じるのを防いでいる。このようにしたときにも、上述した第１実施形態の突起部進入防止構造と同様の作用効果を得ることができる。
【００１９】
第３実施形態の突起部進入防止構造は、内側ケース１１の開口周縁の外側と外側ケース１２の開口周縁の内側を接着または溶着させることで、内側ケース１１と外側ケース１２との間の隙間が生じるのを防止したことにある。内側ケース１１と外側ケース１２を接着するときには、内側ケース１１と外側ケース１２を例えば接着剤により接着させるようにする。また、内側ケース１１と外側ケース１２を溶着するときには、例えば内側ケース１１と外側ケース１２の少なくとも一方を加熱して溶融させて互いに接着させる。このようにしたときにも、上述した第１実施形態の突起部進入防止構造と同様の作用効果を得ることができる。
【００２０】
第４実施形態の突起部進入防止構造は、図５及び図６に示したように、内側ケース１１と外側ケース１２とを密着した状態で弾性的に狭持し、内側ケース１１と外側ケース１２との間の隙間が生じるのを防止するクリップ２３を用いたものである。外側ケース１２には内側ケース１１の開口の周囲にスリット１２ａが形成されており、クリップ２３はスリット１２ａを通して内側ケース１１と外側ケース１２との開口周縁を密着させた状態で狭持している。このように、内側ケース１１と外側ケース１２との間に隙間が生じないようにしたため、内側ケース１１と外側ケース１２との間に電動剪定はさみの先端の刃部が進入するのを防ぐことができ、上述した第１実施形態の突起部進入防止構造と同様の作用効果を得ることができる。
【００２１】
第５実施形態の突起部進入防止構造は、図７に示したように、内側ケース１１の開口周縁部を外側ケース１２側に湾曲させ、内側ケース１１の開口周縁部の先端を外側ケース１２に弾性的に付勢させたものである。内側ケース１１の開口周縁部の外側に湾曲した先端の外径は外側ケース１２の開口周縁の内径よりも僅かに大きくなっており、外側ケース１２の開口周縁の内面に内側ケース１１の開口周縁部の先端が付勢された状態となっている。これにより、内側ケース１１と外側ケース１２との開口周縁の隙間が生じるのを防止することができ、上述した第１実施形態の突起部進入防止構造と同様の作用効果を得ることができる。
【００２２】
第６実施形態の突起部進入防止構造は、図８に示したように、内側ケース１１には作業者側の側面の開口周縁から外側ケース１２の延出部１３に沿う舌部１１ｃを設けるようにしたものである。上述したように、作業者は電動剪定はさみを収納ケース１０に収納するときに、電動剪定はさみを作業者の体に沿うように下側に移動させ、電動剪定はさみを先端から収納ケース１０の内側ケース１１の内部に差し込む。このとき、内側ケース１１と外側ケース１２の開口周縁に生じる隙間は舌部１１ｃにより覆われることになるとともに、電動剪定はさみは舌部１１ｃによって内側ケース１１の内部に案内されるようになる。これにより、電動剪定はさみを内側ケース１１の上側から下方に移動させたときに、電動剪定はさみの先端の刃部は舌部１１ｃによって内側ケース１１と外側ケース１２の開口周縁の隙間に進入しないようになり、上述した第１実施形態の突起部進入防止構造と同様の作用効果を得ることができる。
【００２３】
第７実施形態の突起部進入防止構造は、図９に示したように、外側ケース１２の延出部１３に設けられたガイド２４であり、このガイド２４は電動剪定はさみの先端を内側ケース１１の内部に案内する機能を有している。電動剪定はさみを作業者の体に沿うように下側に移動させたときに、電動剪定はさみの先端は内側ケース１１と外側ケース１２の作業者側の側面に生じる隙間に向かうことなく、図９の矢印に示したように、内側ケース１１の内部に案内されるようになる。これによって、電動剪定はさみの先端の刃部が内側ケース１１と外側ケース１２の隙間に挟まることを防ぐことができ、上述した第１実施形態の突起部進入防止構造と同様の作用効果を得ることができる。
【００２４】
第８実施形態の突起部進入防止構造は、図１０に示したように、外側ケース１２の開口の上側から内側ケース１１の内部に設けた隙間防止カバー２５を用いたものである。この隙間防止カバー２５は開口周縁で内側ケース１１と外側ケース１２の間を上側から覆うようにして、内側ケース１１と外側ケース１２との間に電動剪定はさみの先端の刃部が進入するのを防ぐようにしている。このようにしたときにも、上述した第１実施形態の突起部進入防止構造と同様の作用効果を得ることができる。
【００２５】
上記の実施形態においては、収納ケース１０に収納する作業具として、電動剪定はさみを用いて説明したが、本発明の収納ケース１０は電動剪定はさみを収納するものに限られるものでない。収納ケース１０に収納する他の作業具として、非電動の剪定はさみ等の先端に刃部よりなる突起部を有した作業具、ドライバー、電動ドライバー等の先端に細長い棒状の突起部を有した作業具、鑢等の先端に平板形の突起部を有した作業具、先端に平たい鋸部を有した作業具等を収納ケース１０に収納するようにしてもよい。
【００２６】
また、上記の実施形態においては、収納ケース１０は作業者の腰部に装着するものを用いて説明したが、本発明はこれに限られるものでなく、作業者の身体の他の部分に装着される収納ケースや、作業具を収納するためまたは移動するために用いられ、作業者の体に装着しない収納ケースにも適用されるものである。
【符号の説明】
【００２７】
１０…収納ケース、１１…内側ケース、１２…外側ケース、１２ａ…スリット、１３…延出部、１４…取付部、２１…ピン材（リベット）、２２…面ファスナー、２３…クリップ。
【図１】
2018012147.tif 000003
【図２】
2018012147.tif 000004
【図３】
2018012147.tif 000005
【図４】
2018012147.tif 000006
【図５】
2018012147.tif 000007
【図６】
2018012147.tif 000008
【図７】
2018012147.tif 000009
【図８】
2018012147.tif 000010
【図９】
2018012147.tif 000011
【図１０】
2018012147.tif 000012